(57)【要約】      （修正有）【課題】選択項目が連続的に入れ替えられて表示されるオブジェクトを操作し易い車両用入力装置を提供する。【解決手段】車両用入力装置は、操作入力の位置に表示部内で対応する対応位置を求めるとともに、操作入力の内容を判定する操作内容判定部１１１と、操作内容判定部の判定結果に応じてオブジェクトの表示を制御し、複数のオブジェクトのうち対応位置にあるオブジェクトを選択する選択画像を、オブジェクトに重ねて表示する表示制御部１１２とを含む。選択画像が複数のオブジェクトのうち、操作入力によって選択項目が連続的に入れ替えられて表示されるオブジェクトに重ねて表示されている場合に、操作入力の位置が移動すると操作入力の位置の移動方向に選択項目を所定数変更して表示させ、押し込み操作又は長押し操作が行われた後に操作入力の位置が移動すると操作入力の位置の移動方向に操作量に応じて選択項目を連続的に変更して表示させる。【選択図】図２
2018120314.tif 000002
【特許請求の範囲】
【請求項１】
車室内に配置され、利用者が操作入力を行う操作入力面を有し、前記操作入力面に前記操作入力が行われる位置を検出する位置検出部と、
前記車室内に配置され、複数のオブジェクトを表示する表示部と、
前記操作入力の位置の移動量に基づいて、前記位置検出部によって検出される前記操作入力の位置に前記表示部内で対応する対応位置を求めるとともに、前記操作入力の内容が所定の操作内容に該当するかどうかを判定する操作内容判定部と、
前記操作内容判定部の判定結果に応じて前記オブジェクトの表示を制御するとともに、前記複数のオブジェクトのうち前記対応位置にあるオブジェクトを選択する選択画像を、当該オブジェクトに重ねて表示する、表示制御部と
を含み、
前記操作内容判定部は、前記選択画像が前記複数のオブジェクトのうち、前記操作入力によって選択項目が連続的に入れ替えられて表示されるオブジェクトに重ねて表示されている場合に、前記操作入力として押し込み操作又は長押し操作が行われずに前記所定の方向に沿って前記操作入力の位置が移動すると、前記所定の方向に沿った前記操作入力の位置の移動量に関わらずに前記選択項目を所定数変更して前記表示制御部に表示させ、前記操作入力として押し込み操作又は長押し操作が行われてから前記所定の方向に沿って前記操作入力の位置が移動すると、前記所定の方向に沿った前記操作入力の位置の移動量に応じて前記選択項目を連続的に変更して前記表示制御部に表示させる、車両用入力装置。
【請求項２】
前記操作内容判定部は、前記押し込み操作又は前記長押し操作が行われた後に、再び押し込み操作又は長押し操作が行われると、前記操作入力の位置の移動方向に操作量に応じて前記選択項目を連続的に変更するモードを解除する、請求項１記載の車両用入力装置。
【請求項３】
前記操作内容判定部は、前記操作入力の操作量のうち、前記選択項目を入れ替える方向とは垂直な方向の成分が所定の閾値以上になると、前記操作入力の位置の移動方向に応じて前記選択項目を連続的に変更するモードを解除する、請求項１記載の車両用入力装置。
【請求項４】
前記選択画像は、前記オブジェクトの選択を表すカーソルである、請求項１乃至３のいずれか一項記載の車両用入力装置。
【請求項５】
車室内に配置され、利用者が操作入力を行う操作入力面を有し、前記操作入力面に前記操作入力が行われる位置を検出する位置検出部と、
前記車室内に配置され、複数のオブジェクトを表示する表示部と、
前記操作入力の位置の移動量に基づいて、前記位置検出部によって検出される前記操作入力の位置に前記表示部内で対応する対応位置を求めるとともに、前記操作入力の内容が所定の操作内容に該当するかどうかを判定する操作内容判定部と、
前記操作内容判定部の判定結果に応じて前記オブジェクトの表示を制御するとともに、前記複数のオブジェクトのうち前記対応位置にあるオブジェクトを選択する選択画像を、当該オブジェクトに重ねて表示する、表示制御部と
を含む車両用入力装置の制御方法であって、
前記選択画像が前記複数のオブジェクトのうち、前記操作入力によって選択項目が連続的に入れ替えられて表示されるオブジェクトに重ねて表示されている場合に、前記操作入力として押し込み操作又は長押し操作が行われずに前記所定の方向に沿って前記操作入力の位置が移動すると、前記所定の方向に沿った前記操作入力の位置の移動量に関わらずに前記選択項目を所定数変更して前記表示制御部に表示させ、前記操作入力として押し込み操作又は長押し操作が行われてから前記所定の方向に沿って前記操作入力の位置が移動すると、前記所定の方向に沿った前記操作入力の位置の移動量に応じて前記選択項目を連続的に変更して前記表示制御部に表示させる、車両用入力装置の制御方法。
【発明の詳細な説明】
【技術分野】
【０００１】
本発明は、車両用入力装置、及び、車両用入力装置の制御方法に関する。
【背景技術】
【０００２】
従来より、利用者の指操作によって、所定機器を作動させるための設定値の入力を行うタッチパッドを備える入力装置において、タッチパッドは、タッチパッドの表面への単数箇所あるいは複数箇所での指の接触に応じた入力が可能となっており、指操作時の表面への接触面積の増減に応じて、設定値、あるいは１回の指操作で入力可能とする設定値の変更のための変更幅を調節可能とする調節手段を設ける入力装置がある（例えば、特許文献１参照）。
【先行技術文献】
【特許文献】
【０００３】
【特許文献１】特開２０１３−１１７８７０号公報
【発明の概要】
【発明が解決しようとする課題】
【０００４】
ところで、従来の入力装置において、複数の指で複数箇所に接触して入力を行うのは容易ではなく、複数の指で複数箇所に接触して入力を行う代わりに、利用者が１本の指で複数回入力を行うことになる可能性がある。これは、従来の入力装置の使い勝手が良好ではないからである。
【０００５】
例えば、例えば、エアコンの設定温度を入力する際には、温度を１段階（例えば0.5℃）増減させたい場合と、複数段階連続して増減させたい場合とがある。これは、エアコン以外の車載設備の設定値等の選択項目を入力する場合や、ナビゲーションシステムで住所等の選択項目を入力する場合においても同様である。
【０００６】
そこで、選択項目が連続的に入れ替えられて表示されるオブジェクトを操作し易い車両用入力装置、及び、車両用入力装置の制御方法を提供することを目的とする。
【課題を解決するための手段】
【０００７】
本発明の実施の形態の車両用入力装置は、
車室内に配置され、利用者が操作入力を行う操作入力面を有し、前記操作入力面に前記操作入力が行われる位置を検出する位置検出部と、
前記車室内に配置され、複数のオブジェクトを表示する表示部と、
前記操作入力の位置の移動量に基づいて、前記位置検出部によって検出される前記操作入力の位置に前記表示部内で対応する対応位置を求めるとともに、前記操作入力の内容が所定の操作内容に該当するかどうかを判定する操作内容判定部と、
前記操作内容判定部の判定結果に応じて前記オブジェクトの表示を制御するとともに、前記複数のオブジェクトのうち前記対応位置にあるオブジェクトを選択する選択画像を、当該オブジェクトに重ねて表示する、表示制御部と
を含み、
前記操作内容判定部は、前記選択画像が前記複数のオブジェクトのうち、前記操作入力によって選択項目が連続的に入れ替えられて表示されるオブジェクトに重ねて表示されている場合に、前記操作入力として押し込み操作又は長押し操作が行われずに前記所定の方向に沿って前記操作入力の位置が移動すると、前記所定の方向に沿った前記操作入力の位置の移動量に関わらずに前記選択項目を所定数変更して前記表示制御部に表示させ、前記操作入力として押し込み操作又は長押し操作が行われてから前記所定の方向に沿って前記操作入力の位置が移動すると、前記所定の方向に沿った前記操作入力の位置の移動量に応じて前記選択項目を連続的に変更して前記表示制御部に表示させる。
【０００８】
このように、押し込み操作又は長押し操作の有無によって、操作入力の位置の移動する操作による操作内容を変更する。押し込み操作又は長押し操作が行われずに操作入力の位置の移動する操作が行われると、操作入力の位置の移動方向に前記選択項目を所定数変更する。長押しおよび押込み操作によって特定方向に沿った操作量に基づいて連続的に項目を変更するか否かを切り替えられるため、ユーザー意思に基づいた操作が可能な分かりやすいインタフェースを提供できる。
【０００９】
従って、選択項目が連続的に入れ替えられて表示されるオブジェクトを操作し易い車両用入力装置を提供することができる。
【００１０】
また、本発明の実施の形態の他の車両用入力装置では、
前記操作内容判定部は、前記押し込み操作又は前記長押し操作が行われた後に、再び押し込み操作又は長押し操作が行われると、前記操作入力の位置の移動方向に操作量に応じて前記選択項目を連続的に変更するモードを解除する。
【００１１】
このように、再び押し込み操作又は長押し操作が行われると、選択項目を連続的に変更するモードを解除することができる。
【００１２】
従って、選択項目が連続的に入れ替えられて表示されるオブジェクトを操作し易く、選択項目を連続的に変更するモードを容易に解除することができる、車両用入力装置を提供することができる。
【００１３】
また、本発明の実施の形態の他の車両用入力装置では、
前記操作内容判定部は、前記操作入力の操作量のうち、前記選択項目を入れ替える方向とは垂直な方向の成分が所定の閾値以上になると、前記操作入力の位置の移動方向に応じて前記選択項目を連続的に変更するモードを解除する。
【００１４】
このように、選択項目を入れ替える方向とは垂直な方向の成分が所定の閾値以上になると、選択項目を連続的に変更するモードを解除することができる。
【００１５】
従って、選択項目が連続的に入れ替えられて表示されるオブジェクトを操作し易く、選択項目を連続的に変更するモードを容易に解除することができる、車両用入力装置を提供することができる。選択項目を変更する際に操作する方向とは垂直方向の操作に基づいてモードを解除するため選択項目を変更することなくモードを解除できる。
【００１６】
また、本発明の実施の形態の他の車両用入力装置では、
前記選択画像は、前記オブジェクトの選択を表すカーソルである。
【００１７】
このように、選択画像としてオブジェクトを選択するカーソルを用いることにより、オブジェクトの選択を分かり易くすることができる。
【００１８】
従って、表示全体の認識し易さを担保しつつ、カーソルを即座に認識できる車両用入力装置を提供することができる。
【００１９】
本発明の実施の形態の車両用入力装置の制御方法は、
車室内に配置され、利用者が操作入力を行う操作入力面を有し、前記操作入力面に前記操作入力が行われる位置を検出する位置検出部と、
前記車室内に配置され、複数のオブジェクトを表示する表示部と、
前記操作入力の位置の移動量に基づいて、前記位置検出部によって検出される前記操作入力の位置に前記表示部内で対応する対応位置を求めるとともに、前記操作入力の内容が所定の操作内容に該当するかどうかを判定する操作内容判定部と、
前記操作内容判定部の判定結果に応じて前記オブジェクトの表示を制御するとともに、前記複数のオブジェクトのうち前記対応位置にあるオブジェクトを選択する選択画像を、当該オブジェクトに重ねて表示する、表示制御部と
を含む車両用入力装置の制御方法であって、
前記選択画像が前記複数のオブジェクトのうち、前記操作入力によって選択項目が連続的に入れ替えられて表示されるオブジェクトに重ねて表示されている場合に、前記操作入力として押し込み操作又は長押し操作が行われずに前記所定の方向に沿って前記操作入力の位置が移動すると、前記所定の方向に沿った前記操作入力の位置の移動量に関わらずに前記選択項目を所定数変更して前記表示制御部に表示させ、前記操作入力として押し込み操作又は長押し操作が行われてから前記所定の方向に沿って前記操作入力の位置が移動すると、前記所定の方向に沿った前記操作入力の位置の移動量に応じて前記選択項目を連続的に変更して前記表示制御部に表示させる。
【００２０】
このように、押し込み操作又は長押し操作の有無によって、操作入力の位置の移動する操作による操作内容を変更する。押し込み操作又は長押し操作が行われずに操作入力の位置の移動する操作が行われると、操作入力の位置の移動方向に前記選択項目を所定数変更する。長押しおよび押込み操作によって特定方向に沿った操作量に基づいて連続的に項目を変更するか否かを切り替えられるため、ユーザー意思に基づいた操作が可能な分かりやすいインタフェースを提供できる。
【００２１】
従って、選択項目が連続的に入れ替えられて表示されるオブジェクトを操作し易い車両用入力装置の制御方法を提供することができる。
【発明の効果】
【００２２】
選択項目が連続的に入れ替えられて表示されるオブジェクトを操作し易い車両用入力装置、及び、車両用入力装置の制御方法を提供することができる。
【図面の簡単な説明】
【００２３】
【図１】実施の形態の車両用入力装置が適用される車両１０の室内を示す図である。
【図２】実施の形態の車両用入力装置１００の構成を示す図である。
【図３】エアコンの操作画面で温度設定を変更する場合の操作入力を説明する図である。
【図４】ＤＣＵ１１０の操作内容判定部１１１が実行する処理を示すフローチャートである。
【発明を実施するための形態】
【００２４】
以下、本発明の車両用入力装置、及び、車両用入力装置の制御方法を適用した実施の形態について説明する。
【００２５】
＜実施の形態＞
図１は、実施の形態の車両用入力装置が適用される車両１０の室内を示す図である。車両１０の室内には、運転席１１及び助手席１２の前方にダッシュボード１３が配置され、ダッシュボード１３の中央から運転席１１及び助手席１２の間にわたってセンターコンソール１４が配置される。
【００２６】
ダッシュボード１３の中央には、ディスプレイパネル１５が配置され、センターコンソール１４の前方（ダッシュボード１３に近い側）には、入力部１６が配置される。入力部１６は、タッチパッド１６Ａを有する。
【００２７】
ディスプレイパネル１５は、一例として液晶パネルであるが、液晶パネル以外の形式のディスプレイパネルであってもよい。ディスプレイパネル１５は、例えば、ナビゲーションシステム用の画面、車両の走行モード等の設定用の画面、エアコンの設定用の画面、及び、オーディオの操作画面、電話の操作画面等の様々な画面を表示することができる。ディスプレイパネル１５には、選択されるモード（ナビゲーションシステム、走行モード等の設定、エアコン、オーディオ、電話等の機能を実行するモード）に応じて、様々な画面（画像）が表示される。
【００２８】
タッチパッド１６Ａは、例えば、静電容量型又は抵抗膜式であり、タッチパッド１６Ａの表面に触れる利用者の指先又は手等の位置（座標）を検出する。タッチパッド１６Ａは、ディスプレイパネル１５に表示される様々な画面に表示されるカーソルを利用者が選択する際に利用される。ここでは、利用者が指先又は手等でタッチパッド１６Ａの表面に触れて入力のための操作を行うことを操作入力と称す。
【００２９】
実施の形態の車両用入力装置は、ディスプレイパネル１５と入力部１６を含む。タッチパッド１６Ａに行う操作入力の移動方向及び移動量は、ディスプレイパネル１５におけるカーソルの移動方向及び移動量と対応付けられている。
【００３０】
タッチパッド１６Ａに利用者が指先又は手等で操作入力を行うと、ディスプレイパネル１５に表示されるカーソルが移動する。カーソルは、様々なＧＵＩ(Graphic User Interface)操作部等のオブジェクトを選択する際に用いられる。ＧＵＩ操作部としては、例えば、ボタン、スライダ、ダイアル等がある。
【００３１】
ここで、ディスプレイパネル１５の表示面は矩形状であり、タッチパッド１６Ａの操作面も同様に矩形状である。利用者がタッチパッド１６Ａに行う操作入力の移動方向によるカーソルの移動方向は、一致するように構成されている。操作入力の位置を左に動かせば、ディスプレイパネル１５に表示されるカーソルも左に移動し、操作入力の位置を右、上（車両の前方）、下（車両の後方）に動かせば、ディスプレイパネル１５に表示されるカーソルも右、上、下に移動する。
【００３２】
このように、タッチパッド１６Ａに行う操作入力でディスプレイパネル１５に表示されるカーソルを移動させることができる。そして、カーソルを移動させることにより、ディスプレイパネル１５に表示される様々なＧＵＩ操作部等のオブジェクトを選択することができる。また、例えば、タッチパッド１６Ａを押圧することにより、選択したＧＵＩ操作部等のオブジェクトへの入力を確定することができる。押圧による入力は、例えば、タッチパッド１６Ａに触れる指先又は手等の面積の変化によって検出される。
【００３３】
図２は、実施の形態の車両用入力装置１００の構成を示す図である。車両用入力装置１００は、ＤＣＵ(Display Control Unit)１１０、ディスプレイパネル１５、及び、タッチパッド１６Ａを含む。ディスプレイパネル１５は表示部の一例であり、タッチパッド１６Ａは位置検出部の一例である。また、タッチパッド１６Ａの表面は、操作入力面の一例である。なお、以下では、ディスプレイパネル１５に表示されるオブジェクトがＧＵＩボタンであることとする。
【００３４】
ＤＣＵ１１０は、ＥＣＵ(Electric Control Unit)の一種であり、ディスプレイパネル１５に表示する画像を制御する制御装置である。ＤＣＵ１１０は、操作内容判定部１１１、表示制御部１１２、及びメモリ１１３を有する。
【００３５】
ＤＣＵ１１０は、車両１０に搭載される様々なＥＣＵと同様に、一例として、ＣＰＵ(Central Processing Unit)、ＲＡＭ(Random Access Memory)、ＲＯＭ(Read Only Memory)、ハードディスク等のような不揮発性のメモリ、クロック生成部、入出力インターフェース、通信インターフェース、送受信部、及び内部バス等を含むコンピュータによって実現される。
【００３６】
ＤＣＵ１１０は、車両の走行モード等の設定するための操作部、エアコンの操作部、オーディオの操作部、電話の操作部等の様々な画像を表示し、利用者の操作入力を受け付ける機能を有する。ＤＣＵ１１０は、受け付けた操作入力が表す指令を、車両の走行モード等の設定するＥＣＵ、エアコンのＥＣＵ等の各種ＥＣＵに転送する。
【００３７】
操作内容判定部１１１は、タッチパッド１６Ａによって検出される操作入力の位置の移動量に基づいて、タッチパッド１６Ａによって検出される操作入力の位置にディスプレイパネル１５で対応する対応位置を算出する。
【００３８】
また、操作内容判定部１１１は、押し込み操作又は長押し操作の有無によって、なぞる操作による操作内容を変更する。ここで、なぞる操作とは、タッチパッド１６Ａに指先を接触させながら移動させる操作であり、操作入力の位置を移動させる操作である。なぞる操作は、例えば、スワイプ操作、ドラッグ操作、又はフリック操作等である。
【００３９】
操作内容判定部１１１は、押し込み操作又は長押し操作が行われずになぞる操作が行われると、なぞる操作の操作方向に選択項目を１つ変更する。また、操作内容判定部１１１は、押し込み操作又は長押し操作が行われた後になぞる操作が行われると、なぞる操作の操作方向に操作量に応じて選択項目を連続的に変更する。
【００４０】
なお、操作内容判定部１１１は、押し込み操作又は長押し操作が行われた後になぞる操作が行われているときに、再度押し込み操作又は長押し操作が行われると、選択項目を連続的に変更するモードを解除する。操作内容判定部１１１の処理については、図４を用いて後述する。
【００４１】
表示制御部１１２は、ＧＵＩボタン等のＧＵＩ操作部やＧＵＩによる様々な画像等をディスプレイパネル１５に表示する制御（表示制御）を行う。また、表示制御部１１２は、操作内容判定部１１１によって対応位置が存在すると判定されたＧＵＩボタンに重ねて、ディスプレイパネル１５にカーソルを表示する。カーソルは、ディスプレイパネル１５に表示されるＧＵＩ操作部等のオブジェクトを指示又は選択するために、ＧＵＩ操作部等に重ねて表示される。カーソルは、選択画像の一例であり、表示制御部１１２は、表示制御部の一例である。
【００４２】
表示制御部１１２は、車両用入力装置１００の電源が投入されると、選択されるモードに応じてＧＵＩボタンやＧＵＩによる様々な画像等をディスプレイパネル１５に表示し、所定のデフォルトの位置、又は、所定のデフォルトのＧＵＩ操作部等に重ねてカーソルを表示し、操作内容判定部１１１によって対応位置が算出され、対応位置が内部に存在すると判定されたＧＵＩボタンに重ねて、ディスプレイパネル１５にカーソルを表示する。
【００４３】
表示制御部１１２は、タッチパッド１６Ａに操作入力が行われてカーソルをディスプレイパネル１５の内部で移動させた後に、操作入力が行われなくなると、操作入力が行われなくなったときにＧＵＩ操作部等に重ねて表示しているカーソルを、その位置でそのまま表示した状態に保持する。
【００４４】
メモリ１１３は、ディスプレイパネル１５に表示される様々な種類のＧＵＩ操作部等（車両の電話の操作部、エアコンの操作部、オーディオの操作部、車両の走行モード等を表すＧＵＩ操作部等を設定するための操作部等）のオブジェクトを表す画像データを格納する。メモリ１１３は、例えば、ＲＡＭやハードディスク等のメモリである。
【００４５】
図３は、エアコンの操作画面で温度設定を変更する場合の操作入力を説明する図である。図３（Ａ）〜（Ｃ）には、ディスプレイパネル１５のうち、左側に縦に配列される６個のＧＵＩボタン１４１と、左前席の温度設定用のＧＵＩ操作部１４２Ａと、左前席の風向及び風量設定用のＧＵＩ操作部１４２Ｂとを示す。ＧＵＩ操作部１４２Ａ、１４２Ｂのうち、ＧＵＩ操作部１４２Ａはダイアル型のＧＵＩ操作部である。
【００４６】
図３（Ａ）〜（Ｃ）では、ＧＵＩ操作部１４２Ａにカーソルが重ねて表示されているものとし、ＧＵＩ操作部１４２Ａを実線で示す。その他のＧＵＩボタン１４１やＧＵＩ操作部１４２Ｂは、カーソルが重ねて表示されていないものとし、破線で示す。
【００４７】
ここで、温度設定用のＧＵＩ操作部１４２Ａは、操作入力によって温度の設定値が連続的に入れ替えられて表示されるオブジェクトの一例である。温度の設定値は、選択項目である。例えば、図３（Ａ）に示すＧＵＩ操作部１４２Ａの場合は、２１．０℃の温度が選択されている。ＧＵＩ操作部１４２Ａは、０．５℃刻みで１６．０℃から３２．０℃までの複数の温度設定値を選択できる選択項目を表示する。
【００４８】
また、設定値が連続的に入れ替えられて表示されるとは、ここでは、１６．０℃から３２．０℃までの温度を０．５℃刻みで表示を入れ替えながら表示することをいう。連続的とは、０．５℃刻みで設定値を連続的に表示できることをいい、設定値は０．５℃刻みの離散的な値であってよい。
【００４９】
なお、ここでは、一例として、選択項目として温度の設定値を示すが、選択項目は温度以外の設定値（例えば、エアコンの風量、オーディオの音量等）であってもよく、数値以外であってもよい。例えば、ナビゲーションシステムの住所を入力する場合に、都道府県名が連続的に表示される場合には、都道府県名が選択項目になる。
【００５０】
ＤＣＵ１１０の操作内容判定部１１１は、タッチパッド１６Ａに操作入力として（押し込み操作又は長押し操作が行われずに）なぞる操作が行われると、なぞる操作の操作方向に温度の設定値を１段階（0.5℃）変更する。また、タッチパッド１６Ａに操作入力として押し込み操作又は長押し操作が行われた後に、なぞる操作が行われると、なぞる操作の操作方向に操作量に応じて温度の設定値を連続的に変更する。
【００５１】
ここで、フリック操作は、指先をタッチパッド１６Ａの表面（操作入力面）に沿って、はじく（スナップする）ように比較的短い距離移動させる操作である。スワイプ操作は、指先をタッチパッド１６Ａの表面に沿って掃くように比較的長い距離移動させる操作である。
【００５２】
また、押し込み操作は、指先をタッチパッド１６Ａの表面に触れた状態からタッチパッド１６Ａの表面を押し込む操作である。指先をタッチパッド１６Ａの表面に押し込むと接触する面積が増大するため、タッチパッド１６Ａは押し込み操作を検出する。なお、タッチパッド１６Ａは、押し込み操作を検出する面積の閾値を有し、接触する面積が閾値以上になると、押し込み操作を検出する。
【００５３】
長押し操作は、指先をタッチパッド１６Ａの表面に触れた状態を所定時間以上保持する操作である。所定時間は、例えば、１秒である。
【００５４】
操作内容判定部１１１は、より具体的には、次のように操作内容を判定する。図３（Ａ）に示すように、温度の設定値が２１．０℃である場合において、タッチパッド１６Ａに操作入力として（押し込み操作又は長押し操作が行われずに）タッチパッド１６Ａの上（車両の前方）方向になぞる操作が行われると、操作内容判定部１１１は、図３（Ｂ）に示すように、温度の設定値を２０．５℃に変更する。なお、タッチパッド１６Ａの下（車両の後方）方向になぞる操作が行われると、操作内容判定部１１１は、温度の設定値を２１．５℃に変更する。
【００５５】
また、タッチパッド１６Ａに操作入力として押し込み操作又は長押し操作が行われた後に、タッチパッド１６Ａの下（車両の後方）方向になぞる操作が行われると、操作内容判定部１１１は、図３（Ｃ）に示すように、なぞる操作の操作量に応じて温度の設定値を連続的に変更する。図３（Ｃ）では、２１．０℃の次と次の次の設定値である２１．５℃と２２．０℃が出現している。操作量を増やせば、２２．５℃以上の温度の設定値が順次出現する。ここで、連続的に変更するとは、図３（Ｃ）に示すように、次の温度の設定値を次々に出現させて変更することをいう。なお、設定値は０．５℃刻みの離散的な値であってよい。
【００５６】
なお、図３（Ｃ）に示すように、なぞる操作の操作量に応じて温度の設定値を連続的に変更するモードを解除するには、タッチパッド１６Ａに触れている指先又は手で、再び押し込み操作又は長押し操作を行えばよい。
【００５７】
なお、図３（Ｃ）に示す温度の設定値を連続的に変更するモードでは、現在選択している温度（図３（Ｃ）では２１．０℃）の次や次の次に表示する温度（２１．５℃と２２．０℃）を小さく表示してもよい。
【００５８】
また、図３（Ｃ）に示す温度の設定値を連続的に変更するモードでは、温度の設定値を表示するＧＵＩ操作部１４２Ａ以外のＧＵＩ操作部（１４１や１４２Ｂ）をトーンダウンして薄く（暗く）表示してもよい。温度の設定値を表示するＧＵＩ操作部１４２Ａを目立たせるためである。
【００５９】
図４は、ＤＣＵ１１０の操作内容判定部１１１が実行する処理を示すフローチャートである。
【００６０】
ＤＣＵ１１０は、車両のイグニッションスイッチがオンにされると、処理を開始する（スタート）。
【００６１】
操作内容判定部１１１は、押し込み操作又は長押し操作が行われていないかどうかを判定する（ステップＳ１）。
【００６２】
次いで、操作内容判定部１１１は、押し込み操作又は長押し操作が行われていない（Ｓ１：ＹＥＳ）と判定すると、操作入力の位置が移動しているかどうかを判定する（ステップＳ２）。なお、移動開始前の操作入力の位置を表す座標は、移動量を計測する始点の座標としてメモリ１１３に保持される。
【００６３】
操作内容判定部１１１は、操作入力の位置が移動している（Ｓ２：ＹＥＳ）と判定すると、移動方向が上（車両の前方）であるかどうかを判定する（ステップＳ３）。移動方向は、ステップＳ２で取得した始点に対する操作入力の位置の移動方向として求めればよい。なお、移動方向が矩形状のタッチパッド１６Ａの二軸に対して斜めの方向に移動する場合には、斜めの方向に含まれる上方向（車両の前方向）又は下方向（車両の後方向）の成分に基づいて判定すればよい。
【００６４】
操作内容判定部１１１は、移動方向が上（車両の前方）である（Ｓ３：ＹＥＳ）と判定すると、１ノッチ下の選択項目に変更する（ステップＳ４Ａ）。例えば、上述したように変更前の温度の設定値が２１．０℃である場合には、温度の設定値が２０．５℃に変更される。
【００６５】
一方、操作内容判定部１１１は、移動方向が下（車両の後方）である（Ｓ３：ＮＯ）と判定すると、１ノッチ上の選択項目に変更する（ステップＳ４Ｂ）。例えば、変更前の温度の設定値が２１．０℃である場合には、温度の設定値が２１．５℃に変更される。
【００６６】
操作内容判定部１１１は、ステップＳ４Ａ又はＳ４Ｂの処理を終えると、処理を終了させるかどうかを判定する（ステップＳ５）。処理を終了させるのは、例えば、イグニッションスイッチがオフにされた場合である。
【００６７】
操作内容判定部１１１は、処理を終了させない（Ｓ５：ＮＯ）と判定するとフローをステップＳ１にリターンする。また、操作内容判定部１１１は、処理を終了する（Ｓ５：ＹＥＳ）と判定すると、一連の処理を終了する（エンド）。
【００６８】
また、ステップＳ１において、押し込み操作又は長押し操作が行われている（Ｓ１：ＮＯ）と判定すると、操作内容判定部１１１は、移動方向が上（車両の前方）であるかどうかを判定する（ステップＳ６）。移動方向は、ステップＳ３と同様に、始点に対する操作入力の位置の移動方向として求めればよい。
【００６９】
操作内容判定部１１１は、移動方向が上（車両の前方）である（Ｓ６：ＹＥＳ）と判定すると、押し込み操作又は長押し操作が行われていないかどうかを判定する（ステップＳ７Ａ）。選択項目を連続的に変更するモードを解除するための操作入力が行われているかどうかを判定するためである。
【００７０】
操作内容判定部１１１は、押し込み操作又は長押し操作が行われていない（Ｓ７Ａ：ＹＥＳ）と判定すると、操作量に応じた下側の選択項目に変更する（ステップＳ８Ａ）。例えば、上述したように変更前の温度の設定値が２１．０℃である場合には、操作量に応じて２１．５℃以上の設定値を０．５℃刻みで連続的に順次表示させ、操作入力が完了したときの操作量に対応する設定値に変更する。このとき、ディスプレイパネル１５には、図３（Ｃ）に示すように、２１．０℃の次と次の次の設定値である２１．５℃、２２．０℃が表示され、操作量が増えれば、２２．５℃以上の温度の設定値が順次表示される。このような処理は、操作内容判定部１１１の指令に基づいて、ディスプレイパネル１５に表示される。
【００７１】
一方、操作内容判定部１１１は、移動方向が下（車両の後方）である（Ｓ６：ＮＯ）と判定すると、押し込み操作又は長押し操作が行われていないかどうかを判定する（ステップＳ７Ｂ）。ステップＳ７Ａと同様に、選択項目を連続的に変更するモードを解除するための操作入力が行われているかどうかを判定するためである。
【００７２】
操作内容判定部１１１は、押し込み操作又は長押し操作が行われていない（Ｓ７Ｂ：ＹＥＳ）と判定すると、操作量に応じた上側の選択項目に変更する（ステップＳ８Ｂ）。例えば、変更前の温度の設定値が２１．０℃である場合には、ステップＳ８Ａと同様の手法で、温度の設定値を２０．５℃以下の低下させる方向で連続的に順次表示する。
【００７３】
操作内容判定部１１１は、ステップＳ８Ａ又はＳ８Ｂの処理を終えると、フローをステップＳ５に進行させる。
【００７４】
また、操作内容判定部１１１は、ステップＳ７Ａ又はＳ７Ｂにおいて、押し込み操作又は長押し操作が行われている（Ｓ７Ａ又はＳ７Ｂ：ＮＯ）と判定すると、選択項目を連続的に変更するモードを解除する（ステップＳ９）。
【００７５】
なお、ステップＳ２において、操作内容判定部１１１は、操作入力の位置が移動していない（Ｓ２：ＮＯ）と判定すると、フローをステップＳ１にリターンする。
【００７６】
以上のように、車両用入力装置１００は、タッチパッド１６Ａに操作入力として（押し込み操作又は長押し操作が行われずに）タッチパッド１６Ａの上（車両の前方）方向又は下（車両の後方）方向になぞる操作が行われると、温度の設定値のような選択項目を１ノッチだけ変更する。
【００７７】
また、車両用入力装置１００は、タッチパッド１６Ａに操作入力として押し込み操作又は長押し操作が行われた後に、タッチパッド１６Ａの上（車両の前方）方向又は下（車両の後方）方向になぞる操作が行われると、なぞる操作の操作量に応じて温度の設定値のような選択項目を連続的に変更する。
【００７８】
このため、タッチパッド１６Ａに操作入力を行う際に、選択項目を１ノッチだけ変更する操作と、連続的に変更する操作とを確実に使い分けて、操作項目を変更することができる。
【００７９】
従って、選択項目が連続的に入れ替えられて表示されるオブジェクトを操作し易い車両用入力装置１００及び車両用入力装置の制御方法を提供することができる。
【００８０】
また、車両用入力装置１００は、タッチパッド１６Ａに操作入力として押し込み操作又は長押し操作が行われた後に、タッチパッド１６Ａの上（車両の前方）方向又は下（車両の後方）方向になぞる操作が行われているときに、タッチパッド１６Ａに触れている指先又は手で、再び押し込み操作又は長押し操作を行うと、選択項目を連続的に変更するモードを解除することができる。
【００８１】
従って、選択項目を連続的に変更するモードを容易かつ確実に解除することができ、選択項目が連続的に入れ替えられて表示されるオブジェクトを操作し易い車両用入力装置１００及び車両用入力装置の制御方法を提供することができる。
【００８２】
なお、以上では、再び押し込み操作又は長押し操作を行うと、選択項目を連続的に変更するモードを解除する形態について説明した。しかしながら、操作入力の操作量のうち、選択項目を入れ替える方向とは垂直な方向の成分が所定の閾値以上になったときに、なぞる操作の操作方向に操作量に応じて選択項目を連続的に変更するモードを解除するようにしてもよい。このような判定は、ステップＳ７Ａ、Ｓ７Ｂで行えばよい。
【００８３】
また、以上では、ディスプレイパネル１５とタッチパッド１６Ａとが離れた場所に配置される形態について説明したが、ディスプレイパネル１５とタッチパッド１６Ａとは重ねられていてもよい。例えば、ディスプレイパネル１５の表示面側にタッチパッド１６Ａを重ねて配置すればよい。
【００８４】
以上、本発明の例示的な実施の形態の車両用入力装置、及び、車両用入力装置の制御方法について説明したが、本発明は、具体的に開示された実施の形態に限定されるものではなく、特許請求の範囲から逸脱することなく、種々の変形や変更が可能である。
【符号の説明】
【００８５】
１５  ディスプレイパネル
１６  入力部
１６Ａ  タッチパッド
１００  車両用入力装置
１１０  ＤＣＵ
１１１  操作内容判定部
１１２  表示制御部
１１３  メモリ
１４０、１４１  ＧＵＩボタン
１４２  ＧＵＩ操作部
【図１】
2018120314.tif 000003
【図２】
2018120314.tif 000004
【図３】
2018120314.tif 000005
【図４】
2018120314.tif 000006